(57)【要約】【課題】画像データを極力少ない手間で、かつ、極力、大きなサイズで再生可能な携帯端末を提供する。【解決手段】携帯電話の画面にテレビ放送用ウインドウ１４と、メール用ウインドウ１４２とが表示されているときに（Ａ３）、メール用ウインドウ１４２内の画像データを選択すると、自動的に画像データを全画面で再生する（Ｄ１）。【選択図】図６
2007212661.tif 000002
【特許請求の範囲】
【請求項１】
ウインドウを表示するための表示エリアを有する表示手段と、
前記ウインドウを表示する表示制御手段とを備え、
該表示制御手段は、
前記ウインドウによって前記表示エリアの全体が占められた状態で、前記表示エリアに新たなウインドウを開くときに、既に開いているウインドウのサイズを変更して、当該既に開いているウインドウと、新たなウインドウとを前記表示エリアに表示する表示エリア分割手段と、
前記表示エリアに開かれた複数のウインドウのうちのあるウインドウ内に示される画像データの再生要求を受けたときに、当該再生要求に対応する画像データを前記表示エリアの全画面で再生する全画面再生手段とを含む、携帯端末。
【請求項２】
前記表示制御手段は、前記全画面再生手段による前記画像データの再生が終了したときに、前記表示エリアを前記画像データの再生前のウインドウ構成に復帰させる復帰手段をさらに含む、請求項１に記載の携帯端末。
【請求項３】
前記表示制御手段は、前記表示エリアに開かれた複数のウインドウのうちのあるウインドウ内に示される画像データの再生要求を受けたときに、当該再生要求に対応する画像データを当該ウインドウ内で再生する分割再生手段をさらに含む、請求項１または請求項２に記載の携帯端末。
【請求項４】
前記表示制御手段は、前記全画面再生手段による再生と前記分割再生手段による再生とのいずれで再生するかの選択操作を受け付ける選択操作受付手段をさらに含み、該選択操作受付手段により受け付けられた選択操作に応じて、前記全画面再生手段または前記分割再生手段により前記画像データを再生させる、請求項３に記載の携帯端末。
【発明の詳細な説明】
【技術分野】
【０００１】
本発明は、携帯端末に関し、特に、ウインドウを表示するための表示エリアを有する表示手段と、前記ウインドウを表示する表示制御手段とを備える携帯端末に関する。
【背景技術】
【０００２】
通話機能を基本とする携帯端末の高機能化が進んでいる。静止画像あるいは動画像の画像データを再生する機能を備える、数多くの携帯端末が流通している。また、この種の携帯端末の多くは、テレビの視聴を可能とするアプリケーションや電子メールの送受信を可能とするアプリケーションなどの複数種類のアプリケーションを同時に立ち上げることが可能なマルチアプリケーション機能を備える。
【０００３】
この種の携帯端末で問題となるのが、画面のサイズである。特許文献１には、画像を添付した電子メールを受信したときに、画面をスクロールすることによって画像データおよびメール本文を交互に閲覧することが可能な携帯端末、および、メール本文を画像に重ね合わせて画面に表示することが可能な携帯端末が開示されている。
【特許文献１】特開２００２−２８８０８２号公報
【発明の開示】
【発明が解決しようとする課題】
【０００４】
しかしながら、従来の携帯端末では、画像再生用のアプリケーションを含む複数種類のアプリケーションを同時に立ち上げた状態で、画像を再生するためには、まず、画面を画像再生用のアプリケーションに対応するウインドウ画面に切り替え、続いて、再生する画像を選択して再生指示を行なう必要があった。このため、画像再生に手間取るという問題があった。
【０００５】
本発明は、係る実情に鑑み考え出されたものであり、その目的は、画像データを極力少ない手間で、かつ、極力、大きなサイズで再生可能な携帯端末を提供することである。
【課題を解決するための手段】
【０００６】
上記目的を達成するために、本発明のある局面に従うと、携帯端末は、ウインドウを表示するための表示エリアを有する表示手段と、前記ウインドウを表示する表示制御手段とを備え、該表示制御手段は、前記ウインドウによって前記表示エリアの全体が占められた状態で、前記表示エリアに新たなウインドウを開くときに、既に開いているウインドウのサイズを変更して、当該既に開いているウインドウと、新たなウインドウとを前記表示エリアに表示する表示エリア分割手段と、前記表示エリアに開かれた複数のウインドウのうちのあるウインドウ内に示される画像データの再生要求を受けたときに、当該再生要求に対応する画像データを前記表示エリアの全画面で再生する全画面再生手段とを含む。
【０００７】
好ましくは、前記表示制御手段は、前記全画面再生手段による前記画像データの再生が終了したときに、前記表示エリアを前記画像データの再生前のウインドウ構成に復帰させる復帰手段をさらに含む。
【０００８】
好ましくは、前記表示制御手段は、前記表示エリアに開かれた複数のウインドウのうちのあるウインドウ内に示される画像データの再生要求を受けたときに、当該再生要求に対応する画像データを当該ウインドウ内で再生する分割再生手段をさらに含む。
【０００９】
好ましくは、前記表示制御手段は、前記全画面再生手段による再生と前記分割再生手段による再生とのいずれで再生するかの選択操作を受け付ける選択操作受付手段をさらに含み、該選択操作受付手段により受け付けられた選択操作に応じて、前記全画面再生手段または前記分割再生手段により前記画像データを再生させる。
【発明の効果】
【００１０】
本発明によれば、複数のウインドウで画面を分割表示できるので、複数のアプリケーションを立ち上げて一のアプリケーションから他のアプリケーションに切り替えるときに、画面を切り替えて表示させる必要がない。また、複数のウインドウの１つに含まれる画像データを再生するときに、自動的に全画面再生されるので、複数のウインドウを開いている状態でも、手間を掛けることなく、画像を極力大きなサイズで閲覧することができる。
【発明を実施するための最良の形態】
【００１１】
以下、図面を参照しつつ、本発明の実施の形態について説明する。
図１は、携帯端末の一例となる携帯電話機１の斜視図である。携帯電話機１は、主に、第１の筐体２と第２の筐体４とから構成される。
【００１２】
第１の筐体２には、ヒンジ部３が軸Ａ１を回転軸として回動可能に取付けられている。ヒンジ部３には、第２の筐体４が、当該ヒンジ部３に対して軸Ａ２を回転軸として回動可能に取付けられている。
【００１３】
第１の筐体２には、その主面に、ユーザが電話番号等の情報を入力するための機能ボタン群６および入力ボタン群９が設けられ、さらに、マイク１１（図４参照）に音声を入力するためのマイク孔１１Ａが設けられている。
【００１４】
第２の筐体４には、その主面に、ほぼ長方形状の第１表示部１４およびレシーバ孔１５が備えられている。
【００１５】
図２は、携帯電話機１が折り畳まれた状態を示す図である。携帯電話機１は、図１の状態に比較して、ヒンジ部３が軸Ａ１に沿って回動されることにより、第２の筐体４と第１の筐体２とが対向する状態となっている。
【００１６】
また、図３は、携帯電話機１の、図２に示された状態の裏面を示す図である。第１の筐体２の側面には、カメラ１８（図４参照）のシャッタボタン１２と、外部メモリ３９（図４参照）を挿入するためのスロット部３８とが設けられている。なお、図２および図３に示された状態に対して、図１に示された携帯電話機１の状態を、「開かれた状態」と呼ぶ。
【００１７】
図２および図３に示されるように、携帯電話機１が折り畳まれた状態では、第１の筐体２と第２の筐体４とは、その主面同士が当接している。
【００１８】
そして、特に図３に示されるように、第１の筐体２の主面の裏面には、第２表示部２０、カメラ１８（図４参照）の撮影レンズ１８Ａ、当該カメラの撮影に利用されるフラッシュ１９、および、スピーカ孔２１が設けられている。
【００１９】
図４は、携帯電話機１の構成を示すブロック図である。図４を参照して、携帯電話機１は、当該携帯電話機１の動作を全体的に制御する制御部１０を備える。制御部１０は、制御用プログラムに基づいて携帯電話機１を制御するＣＰＵ１０１（Central Processing Unit）、制御用プログラムを予め記憶するＲＯＭ（Read only memory）１０２、ＣＰＵ１０１による演算結果を一時記憶するＲＡＭ（Random Access Memory）１０３を備える。
【００２０】
さらに、携帯電話機１は、アンテナ３０と、アンテナ３０を介して携帯電話用の基地局との無線通信を行なう無線通信部３１と、アンテナ４０と、アンテナ４０を介して受信したＴＶ中継局（図示せず）からのＴＶ信号を復調し、ＴＶベースバンド信号にするチューナ部４１と、スピーカ２２と、マイク１１と、写真あるいは動画撮影のためのカメラ１８と、第１表示部１４と、第２表示部２０と、傾き検出部５と、方位検出部３７と、機能ボタン群６と、入力ボタン群９と、第１の筐体２内に内蔵され着信時に第１の筐体２を振動させるためのバイブレータ３５と、地図情報その他のデータを格納する内部メモリ１０７と、外部メモリ３９を収容するスロット部３０とを備える。
【００２１】
傾き検出部５は、携帯電話機１の傾き度合い（重力ベクトル）を検出する。具体的には、傾き検出部５は、３次元空間上の基準姿勢に対して携帯電話機１がどの程度傾いているかを検出する。傾き検出部５は、たとえば、３軸加速度センサである。
【００２２】
方位検出部３７は、方位（地磁気ベクトル）を検出する。具体的には、方位検出部３７は、携帯電話機１が予め定めた方向に対してどの程度ずれているかを検出する。方位検出部３７は、たとえば、３軸磁気センサである。
【００２３】
傾き検出部５および方位検出部３７の検出信号によって、絶対方位を含めた携帯電話機１のすべての姿勢状態を検出できる。
【００２４】
スピーカ２２は、アンテナ３０を介して受信した音声（電話における通話相手から送られる音声等）、および、ＲＯＭ１０２に記憶された音声データに基づいた音声（着信音等）を出力する。前者の音声は、主に、レシーバ孔１５を介して出力され、後者の音声は、主に、スピーカ孔２１を介して出力される。
【００２５】
図５は、制御部１０の表示制御機能を説明するための機能ブロック図である。制御部１０は、システム制御部１１１と、描画部１１２と、アプリケーション記憶部１１３と、起動アプリケーション記憶部１１４と、ウインドウデータ記憶部１１５とを含む。
【００２６】
描画部１１２は、第１表示部１４の表示エリアに、アプリケーションプログラムに応じたウインドウを表示する。描画部１１２は、表示エリアに表示している複数のウインドウのうちのいずれかを閉じるときに、表示エリアに表示する残りのウインドウのサイズを変更して、その残りのウインドウによって表示エリアの全てが占められた状態にする機能を備える。さらに、描画部１１２は、ウインドウによって表示エリアの全てが占められた状態で、表示エリアに新たなウインドウを開くときに、既に開いているウインドウのサイズを変更して、その既に開いているウインドウと、新たなウインドウとによって表示エリアの全てが占められた状態にする機能を備える。
【００２７】
本実施の形態では、説明を容易にするために、最大、３つのアプリケーションプログラムを同時に起動し、これによってウインドウが最大３つ表示されるものとする。なお、アプリケーションプログラムを同時に起動できる数およびウインドウを同時に表示できる数は、これに限定されるものではない。すなわち、アプリケーションプログラムを同時に起動できる数およびウインドウを同時に表示できる数は、２であっても、３以上であってもよい。
【００２８】
図５には、１つのウインドウＷ１によって表示エリアが占められるウインドウパターンと、２つのウインドウＷ２，Ｗ３によって表示エリアが占められるウインドウパターと、３つのウインドウＷ４，Ｗ５，Ｗ６によって表示エリアが占められるウインドウパターンとが示されている。各々のウインドウパターンデータ１１５Ａが、ウインドウデータ記憶部１１５に記憶されている。
【００２９】
Ｗ１は、全画面表示用のウインドウパターンである。これは、１種類である。Ｗ１のウインドウ高さは、ウインドウを表示するための表示エリアの全長に対応するＨである。
【００３０】
Ｗ２，Ｗ３は、２分割用のウインドウパターンである。Ｗ２が表示エリアの上段に表示するウインドウのサイズを、Ｗ３が表示エリアの下段に表示するウインドウのサイズを、各々、規定する。Ｗ２のウインドウ高さｈ２＝ａＨ／（ａ＋ｂ）とＷ３のウインドウ高さｈ３＝ｂＨ／（ａ＋ｂ）との和がＨとなる。Ｗ２，Ｗ３から成る２分割用の表示パターンとして、ａ，ｂが異なる複数種類のパターンが記憶されている。
【００３１】
たとえば、Ｗ２のデータとして、Ｗ２１、Ｗ２２、Ｗ２３がウインドウデータ記憶部１１５のウインドウサイズテーブル１１５Ｂに記憶されている。また、Ｗ３のデータとして、Ｗ３１、Ｗ３２、Ｗ３３がウインドウサイズテーブル１１５Ｂに記憶されている。Ｗ２およびＷ３の各データは、ウインドウサイズテーブル１１５Ｂにおいて、（Ｗ２１，Ｗ３１）、（Ｗ２２，Ｗ３２）、（Ｗ２３，Ｗ３３）の組み合わせで記憶されている。（Ｗ２１，Ｗ３１）は、そのウインドウ高さについて、Ｗ２１＞Ｗ３１の関係にある。（Ｗ２２，Ｗ３２）は、そのウインドウ高さについて、Ｗ２２＝Ｗ３２の関係にある。（Ｗ２３，Ｗ３３）は、そのウインドウ高さについて、Ｗ２３＜Ｗ３３の関係にある。
【００３２】
Ｗ４，Ｗ５，Ｗ６は、３分割用の表示パターンである。Ｗ４が表示エリアの上段に表示するウインドウのサイズを、Ｗ５が表示エリアの中段に表示するウインドウのサイズを、Ｗ６が表示エリアの下段に表示するウインドウのサイズを、各々、規定する。Ｗ４のウインドウ高さｈ４＝ｘＨ／（ｘ＋ｙ＋ｚ）とＷ５のウインドウ高さｈ５＝ｙＨ／（ｘ＋ｙ＋ｚ）とＷ６のウインドウ高さｈ６＝ｚＨ／（ｘ＋ｙ＋ｚ）との和がＨとなる。Ｗ４〜Ｗ６から成る３分割用の表示パターンとして、ｘ，ｙ，ｚが異なる複数種類のパターンが記憶されている。
【００３３】
たとえば、Ｗ４とＷ５とＷ６との組み合わせデータとして、（Ｗ４１，Ｗ５１，Ｗ６１），（Ｗ４２，Ｗ５２，Ｗ６２），（Ｗ４３，Ｗ５３，Ｗ６３）など、その他の組み合わせデータがウインドウサイズテーブル１１５Ｂに記憶されている。
【００３４】
なお、第１表示部１４の画面のうち、四方のいずれかに電波の受信状況や充電量、あるいは操作手順を表示するための情報表示エリアを設け、それ以外の画面部分をウインドウを表示するための表示エリアとして確保してもよい。あるいは、全画面について、ウインドウを表示するための表示エリアとして確保してもよい。
【００３５】
システム制御部１１１は、アプリケーションプログラムの起動要求および終了要求を受ける。アプリケーション記憶部１１３には、メーラーやブラウザソフト、動画像再生用ソフト等の複数種類のアプリケーションプログラムが記憶されている。
【００３６】
起動アプリケーション記憶部１１４には、現在、起動しているアプリケーションの種類を特定するための情報が記憶されている。図５の起動アプリケーション記憶部１１４には、アプリケーション１とアプリケーション２とが起動していることが示されている。
【００３７】
システム制御部１１１は、アプリケーションプログラムの起動要求を受けたときに、要求に対応するアプリケーションプログラムをアプリケーション記憶部１１３から読出して起動する制御を行なうとともに、そのアプリケーションプログラムの起動を示す情報を起動アプリケーション記憶部１１４に格納する。また、システム制御部１１１は、アプリケーションプログラムの終了要求を受けたときに、対応するアプリケーションプログラムを終了する制御を行なうとともに、そのアプリケーションプログラムに対応する起動情報を起動アプリケーション記憶部１１４から削除する。さらに、システム制御部１１１は、アプリケーションプログラムの起動要求または終了要求を受けたときに、起動または終了させるアプリケーションプログラムを示すアプリケーション番号を描画部１１２に通知する。
【００３８】
描画部１１２は、第１表示部１４の表示エリアに表示するウインドウを管理する。描画部１１２は、使用するウインドウパターン、ウインドウサイズ、およびウインドウに割り当てるアプリケーション番号を管理する管理用テーブル１１２Ａを記憶している。管理用テーブル１１２Ａのデータは、システム制御部１１１からアプリケーションプログラムの起動および終了の際に通知されるアプリケーション番号に基づいて更新される。
【００３９】
図５には、第１表示部１４の表示エリアを２つのウインドウＷ２，Ｗ３によって２分割するときの管理用テーブル１１２Ａが示されている。Ｗ２にはアプリケーション番号１のアプリケーションプログラム１が対応し、Ｗ３にはアプリケーション番号２のアプリケーションプログラム２が対応している。
【００４０】
たとえば、このような状態で、システム制御部１１１から、アプリケーション番号１に対応するアプリケーションプログラムを終了させる通知があったとき、描画部１１２は、アプリケーション番号１に対応するＷ２のデータを管理用テーブル１１２Ａから削除する。さらに、描画部１１２は、Ｗ３のアプリケーション番号２をＷ１へシフトさせる。そして、Ｗ１のウインドウサイズをウインドウデータ記憶部１１５から読出す。描画部１１２は、このように更新した管理用テーブル１１２Ａに基づいて、表示エリアを更新する。その結果、表示エリアの全範囲にアプリケーション番号１に対応するアプリケーションプログラム１のウインドウが広がった状態となる。
【００４１】
あるいは、図５に示す管理用テーブル１１２Ａの状態で、システム制御部１１１からアプリケーション番号３に対応するアプリケーションプログラム３を起動させる通知があったとき、描画部１１２は、管理用テーブル１１２Ａを以下のように更新する。
【００４２】
Ｗ４の対応する領域にアプリケーション番号３を記憶する。Ｗ５の対応する領域にアプリケーション番号１を記憶する。Ｗ６の対応する領域にアプリケーション番号２を記憶する。Ｗ４〜Ｗ６のウインドウサイズデータをウインドウサイズテーブル１１５Ｂから選択して管理用テーブル１１２Ａに記憶する。Ｗ２およびＷ３のデータを削除する。
【００４３】
これにより、Ｗ４に、新たに起動するアプリケーションプログラム３が対応付けられる。また、Ｗ５およびＷ６に、すでに起動しているアプリケーションプログラム１および２が対応付けられる。描画部１１２は、このように更新した管理用テーブル１１２Ａに基づいて、表示エリアを更新する。その結果、表示エリアの上段にアプリケーションプログラム３のウインドウＷ４が位置し、中段にアプリケーションプログラム１のウインドウＷ５が位置し、下段にアプリケーションプログラム２のウインドウＷ６が位置し、Ｗ４〜Ｗ６で表示エリアの全体が占められた状態となる。
【００４４】
もし、このようにアプリケーションプログラム１〜３が起動した状態で、アプリケーションプログラム１を終了させたときには、管理用テーブル１１２ＡのＷ４に対応して記憶されたアプリケーション番号がＷ２にシフトされ、Ｗ６に対応して記憶されたアプリケーション番号がＷ３にシフトされる。さらに、Ｗ２、Ｗ３のウインドウサイズデータがウインドウサイズテーブル１１５Ｂから選択される。その上で、Ｗ４〜Ｗ６のデータが削除される。その結果、表示エリアの上段にアプリケーションプログラム３のウインドウＷ２が位置し、下段にアプリケーションプログラム２のウインドウＷ３が位置し、Ｗ２とＷ３とで表示エリアの全体が占められた状態となる。
【００４５】
システム制御部１１１と描画部１１２とは、図４に示したＣＰＵ１０１とＲＡＭ１０３とによって実現される機能である。アプリケーション記憶部１１３と起動アプリケーション記憶部１１４とウインドウデータ記憶部１１５とは、図４に示したＲＯＭ１０２によって実現される機能である。
【００４６】
図６は、第１表示部１４の表示エリアに表示されるウインドウの具体例を示す図である。（Ａ１）では、テレビ放送を表示するウインドウ１４１が表示エリア全体に表示されている。
【００４７】
（Ａ１）の状態でメーラーを起動する操作が検出されると、表示エリアが２分割されて（Ａ２）の表示状態となる。（Ａ２）では、テレビ用のウインドウ１４１と、新たに開かれた電子メール用のウインドウ１４２とが表示されている。このように、自動的に画面が２分割されるため、ユーザは、２つのアプリケーションを交互に切り替えて表示させる必要がない。
【００４８】
（Ａ２）の状態で電子メールの受信ボックスを開く操作が検出されると、受信ボックスが開かれた（Ａ３）の表示状態となる。（Ａ３）では、２件の電子メール１４２Ａ，１４２Ｂが受信ボックス内に表示されている。
【００４９】
（Ａ３）の状態で、電子メール１４２Ａあるいは１４２Ｂに添付された画像データを再生する操作が検出されたとき、設定に応じて、（Ｂ１）または（Ｄ１）の表示状態となる。
【００５０】
設定が「再生時の選択有」となっているときには、画像データを全画面で再生するか、あるいは画像データが表示されているウインドウ内で再生するかを選択する操作を受け付ける画面がウインドウ１４２に表示される（Ｂ１）。２つ以上のウインドウが表示されている状態で、ウインドウ内での再生を選択したときには、１つのウインドウ内で画像が再生表示されつつ、他のウインドウも表示される。このため、利用者は、たとえば、あるウインドウでテレビを見ながら、他のウインドウで再生された画像を見ることができる。この意味で、このような再生形態を「全画面再生」に対して、「ながら再生」と称する。
【００５１】
設定が「再生時の選択無」となっているときには、そのような選択操作が受け付けられることなく、画像データが全画面で再生される（Ｄ１）。
【００５２】
ユーザは、携帯電話機１において設定メニューを呼び出すことで、設定を「再生時の選択有」または「再生時の選択無」に変更することが可能である。システム制御部１１１は、設定メニューを呼び出す操作を検出したときに、第１表示部１４に設定メニューを表示する。さらに、システム制御部１１１は、設定の変更操作に応じて、設定を「再生時の選択有」または「再生時の選択無」に変更する。
【００５３】
（Ｂ１）には、ウインドウ１４２に「全画面再生」をするか「ながら再生」をするかの選択を受け付ける画面が示されている。この状態で、「ながら再生」を選択したときには、（Ｂ２）に示されるように、ウインドウ１４２に画像１４２Ｃ（静止画像または動画像）が再生表示される。添付された画像データに音データが含まれている場合には、画像再生と連動して音声データがスピーカ２２（図４参照）から再生される。「ながら再生」の際には、（Ｂ２）に示されるように、ウインドウ１４１とウインドウ１４２とのサイズが変更され、画像再生に関わるウインドウ１４２が拡張される。拡張後のウインドウサイズは、設定メニューで予め設定しておくことが可能である。システム制御部１１１は、設定を「再生時の選択有」に変更したときに、拡張後のウインドウサイズを入力する画面を表示して、ユーザの入力操作に応じたウインドウサイズを登録する。
【００５４】
（Ｂ２）の状態では、ユーザは、ウインドウ１４１でテレビを視聴しながら、ウインドウ１４２で画像を楽しむことができる。しかも、画像再生時に、ウインドウ１４２のサイズが拡張されるために、画像を極力大きなサイズで閲覧することができる。なお、（Ｂ２）の状態において、携帯電話機１は、テレビの音量を自動的に抑える制御をしてもよい。特に、再生対象の画像データが動画像であるときには、画像再生中は、テレビの音をオフにし、画像再生終了時に音量を元に戻す制御をしてもよい。
【００５５】
（Ｂ２）の状態で、停止条件が成立したときには、（Ｂ３）の表示状態となり、ウインドウ１４１とウインドウ１４２とのサイズが画像再生前の（Ａ２）（Ａ３）（Ｂ１）と同じサイズに戻る。停止条件は、たとえば、ユーザの再生停止操作を検出したこと、あるいは、動画像であれば動画像データの再生が終了したことである。なお、（Ｂ３）では、再生を終えた画像データがたとえばサムネイル形式で表示されている。ただし、これに代えて、（Ａ３）の表示状態に変化するように制御してもよい。
【００５６】
（Ｂ１）の表示状態で、「全画面再生」を選択したときには、（Ｃ２）の表示状態となる。（Ｃ２）の状態では、ユーザは、全画面に拡張された大きなウインドウ１４２で、画像を楽しむことができる。しかも、（Ａ３）の状態から、画像データを選択する操作を実行することで、画面が自動的に切り替わるために、画面を切り替える手間も不要である。
【００５７】
なお、（Ｃ２）の状態において、携帯電話機１は、テレビの音量を自動的に抑える制御をしてもよい。特に、再生対象の画像データが動画像であるときには、画像再生中は、テレビの音をオフにし、画像再生終了時に音量を元に戻す制御をしてもよい。
【００５８】
（Ｃ２）の状態で、停止条件が成立したときには、（Ｃ３）の表示状態となる。この表示状態は、（Ｂ３）と同じである。したがって、ここでは、（Ｃ３）の説明をもって、（Ｂ３）の説明に換えることにする。
【００５９】
設定が「再生時の選択無」のときには、（Ａ３）で再生操作が検出されることによって、（Ｄ１）に示されるように、自動的に全画面で画像が再生される。このときの再生態様は、（Ｃ２）と同じである。したがって、ここでは、（Ｃ２）の説明をもって、（Ｄ１）の説明に換えることにする。このように、設定が「再生時の選択無」のときには、再生操作が検出されると、自動的に全画面で画像が再生されるため、複数のウインドウを開いている状態であっても、極力少ない操作ステップ数で、希望の画像を大きな画面で閲覧することが可能となる。その後、停止条件が成立することにより、（Ｄ２）の表示状態に変化する。このときの表示態様は、（Ｂ３）と同じである。したがって、ここでは、（Ｂ３）の説明をもって、（Ｄ２）の説明に換えることにする。
【００６０】
なお、上記の説明では、ウインドウ１４１にテレビ放送が表示される場合について説明した。しかしながら、ゲーム、ニュース、予め記憶されているビデオ、その他のコンテンツがウインドウ１４１に表示されている場合であっても、同様の手順で、上記実施の形態を適用可能である。
【００６１】
また、ここでは、表示エリアが２つのウインドウによって２分割される例を示したが、これに限られるものではない。たとえば、表示エリアが２つ以上のウインドウによって分割されている状態において、さらにアプリケーションを起動したときには、３つ目のウインドウが開かれて表示エリアが３分割される。また、３つ以上のウインドウで表示エリアが分割された状態で、あるウインドウにおいて画像データを再生する場合にも、設定に応じて、「全画面再生」または「ながら再生」が実行される。
【００６２】
また、上記実施の形態では、「全画面再生」するか「ながら再生」するかが、ユーザの選択操作に応じて決定される。しかしながら、これに換えて、「全画面再生」するか、「ながら再生」するかを、画像再生に関わらないウインドウ（図６ではウインドウ１４１）に表示されているコンテンツ、あるいは画像再生に関わらないウインドウのアプリケーションに応じて、決定することとしてもよい。
【００６３】
たとえば、図６に示されるように、ウインドウ１４１にテレビ放送が表示されているときには、（Ａ３）の表示状態から画像再生の操作を行なうことによって、自動的に（Ｂ２）の「ながら再生」が行なわれるようにする。一方、ウインドウ１４１に電話帳やアドレス帳のような、「ながら再生」の利用要求が低いと思われるコンテンツの場合には、（Ａ３）の表示状態から画像再生の操作を行なうことによって、自動的に（Ｃ２）の「全画面再生」が行なわれるようにする。
【００６４】
このような機能を実現するためには、たとえば、携帯電話機１に以下のようなシステムを採用する。まず、画像再生時にウインドウを閉じてもよいか、開いたままにしておくかを、予めユーザがアプリケーション別、あるいはコンテンツ別に設定できるようにする。たとえば、システム制御部１１１は、設定メニューを表示したときに、アプリケーション一覧あるいはコンテンツ一覧を表示し、「全画面再生」について、可／不可のいずれの設定にするかのユーザの操作を受付け、記憶する。さらに、システム制御部１１１は、図６の（Ａ３）の表示状態で画像再生の操作を検出したときに、画像再生に関わらないウインドウ１４１のアプリケーションあるいはコンテンツを特定する。そして、特定したアプリケーションあるいはコンテンツについて、「全画面再生」の設定が可／不可のいずれになっているかを判断する。「全画面再生」の設定が「可」のときには、ウインドウ１４１を閉じた上で、画像を全画面に再生する。一方、「全画面再生」の設定が「不可」のときには、ウインドウ１４１を開いたまま、画像を「ながら再生」する。
【００６５】
図７は、携帯電話機１の処理手順を説明するためのフローチャートである。ここでは、図６の表示状態を実現するためのシステム制御部１１１の処理内容について説明する。
【００６６】
最初に、画像を再生する要求が検出されたか否かが判断される（Ｓ１）。たとえば、図６の（Ａ３）において、画像を再生する操作が行なわれると、その操作が検出されて、Ｓ１でＹＥＳと判断され、Ｓ２に移行する。一方、その操作が検出されない場合には、Ｓ１でＮＯと判断され、処理が終了する。
【００６７】
Ｓ２では、設定が「再生時の選択有」であるか否かが判断される。設定が「再生時の無」のときには、Ｓ２でＮＯと判断される。そして、管理用テーブル１１２Ａ（図５参照）が更新される（Ｓ１０）。これにより、管理用テーブル１１２Ａにおいて、ウインドウ数が１、かつ、そのウインドウサイズが全画面表示に対応するフルサイズに変更される。次に、更新後の管理用テーブル１１２Ａに基づいて、第１表示部１４の表示エリアが更新される（Ｓ１１）。
【００６８】
次に、画像データが全画面で再生される（Ｓ１２）。その結果、たとえば、図６の（Ｄ１）のような表示状態となる。次に、停止条件が成立したか否かが判断される（Ｓ１３）。そして、停止条件が成立するまで、Ｓ１３が繰り返し実行される。再生停止操作が検出されるか、あるいは、動画像であれば動画像データの再生が終了することによって停止条件が成立する。停止条件が成立すると、Ｓ１３でＹＥＳと判断されて、画像データの再生を停止させる処理が実行される（Ｓ１４）。
【００６９】
次に、管理用テーブル１１２ＡがＳ１０の更新前の状態に復帰する（Ｓ１５）。続いて、復帰後の管理用テーブル１１２Ａに基づいて、表示エリアのウインドウ構成が画像再生前の状態に復帰する（Ｓ１６）。これにより、図６の（Ｄ２）の表示状態となる。
【００７０】
Ｓ２において、設定が「再生時の有」のときには、Ｓ２でＹＥＳと判断される。次に、設定が「ながら再生」であるか否かが判断される（Ｓ５）。「ながら再生」でないときには、Ｓ５でＮＯと判断される。この場合には、「全画面再生」をするために、処理がＳ１０へ移行する。その後、既に説明したＳ１０〜Ｓ１２の処理が実行されることによって、全画面再生が行なわれる。
【００７１】
Ｓ５で「ながら再生」であると判断されたときには、管理用テーブル１１２Ａが更新される（Ｓ６）。これにより、管理用テーブル１１２Ａにおいて、ウインドウサイズが変更され、たとえば、画像の再生に関わるウインドウが拡張される。次に、更新後の管理用テーブル１１２Ａに基づいて、第１表示部１４の表示エリアが更新される（Ｓ７）。
【００７２】
次に、画像データが１つのウインドウ内で再生される（Ｓ８）。その結果、たとえば、図６の（Ｂ２）のような表示状態となる。次に、停止条件が成立したか否かが判断される（Ｓ９）。そして、停止条件が成立するまで、Ｓ９が繰り返し実行される。再生停止操作が検出されるか、あるいは、動画像であれば動画像データの再生が終了することによって停止条件が成立する。停止条件が成立すると、Ｓ９でＹＥＳと判断されて、画像データの再生を停止させる処理が実行される（Ｓ１４）。
【００７３】
次に、管理用テーブル１１２ＡがＳ１０の更新前の状態に復帰する（Ｓ１５）。続いて、復帰後の管理用テーブル１１２Ａに基づいて、表示エリアのウインドウ構成が画像再生前の状態に復帰する（Ｓ１６）。これにより、図６の（Ｂ３）の表示状態となる。その後、処理が終了する。
【００７４】
以上、説明したように、本実施の形態によれば、１つのアプリケーションを起動した状態で、さらにアプリケーションを起動したときに、複数のウインドウでそれら複数のアプリケーションを分割表示できる。そのため、複数のアプリケーションを立ち上げて一のアプリケーションから他のアプリケーションに切り替えるときに、画面を切り替えて表示させる必要がない。また、複数のウインドウの１つに含まれる画像データを再生するときに、自動的に全画面再生されるので、複数のウインドウを開いている状態でも、手間を掛けることなく、画像を極力大きなサイズで閲覧することができる。
【００７５】
なお、図７に示すアルゴリズムをコーディングして、生成されたプログラムを提供することも可能である。このようなプログラムは、コンピュータ読取り可能な記録媒体に記録して、プログラム製品として提供することも可能である。なお、この種の記録媒体としては、ＣＤ−ＲＯＭに限られるものではなく、コンピュータに付属するフレキシブルディスク、ＣＤ−ＲＯＭ、あるいはメモリカードなどであってもよい。また、ネットワークを介したダウンロードによって、このようなプログラムを提供することもできる。
【００７６】
上記実施の形態では、１つの制御部１０がシステム制御部１１１および描画部１１２として機能する。しかしながら、システム制御部１１１と描画部１１２とを各々別個独立したマイクロコンピュータで構成してもよい。
【００７７】
また、本実施の形態では、携帯端末の一例として、携帯電話機を挙げた。しかしながら、本実施の形態は、これに限られず、通話機能を有しない携帯端末（ナビゲーション装置など）など、様々な携帯端末に適用可能である。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７９】
【図１】携帯電話機の斜視図である。
【図２】携帯電話機が折り畳まれた状態を示す図である。
【図３】携帯電話機の裏面を示す図である。
【図４】携帯電話の構成を示すブロック図である。
【図５】制御部の表示制御機能を説明するための機能ブロック図である。
【図６】第１表示部の表示エリアに表示されるウインドウの具体例を示す図である。
【図７】携帯電話機の処理手順を説明するためのフローチャートである。
【符号の説明】
【００８０】
１  携帯電話機、１０  制御部、１１１  システム制御部、１１２  描画部、１１３  アプリケーション記憶部、１１４  起動アプリケーション記憶部、１１５  ウインドウデータ記憶部。
【図１】
2007212661.tif 000003
【図２】
2007212661.tif 000004
【図３】
2007212661.tif 000005
【図４】
2007212661.tif 000006
【図５】
2007212661.tif 000007
【図６】
2007212661.tif 000008
【図７】
2007212661.tif 000009